(57)【要約】 【課題】  異常が発生した画像処理装置を容易に正常化することが可能な画像処理装置を提供する。【解決手段】  画像処理装置１の設定を変更または操作可能な入力手段、演算手段および出力手段を含むコンピュータ２が、通信手段を介して当該画像処理装置１に電気的に接続され、コンピュータ２の入力手段によって画像処理装置１の設定を変更または操作するとき、この画像処理装置本体に電気的に接続される操作手段４による画像処理装置１の設定変更および操作を許可する許可状態と、操作手段４による前記設定変更および操作を禁止する禁止状態とにわたって選択可能に構成される。【選択図】      図１
2006237706.tif 000002
【特許請求の範囲】
【請求項１】
入力される被対象物の画像データに基づいて、該被対象物が所期の規定値を満足するか否かを判断するための画像処理装置であって、
画像処理装置の設定を変更または操作可能な入力手段、演算手段および出力手段を含むコンピュータが、通信手段を介して当該画像処理装置に電気的に接続され、
コンピュータの入力手段によって画像処理装置の設定を変更または操作するとき、この画像処理装置本体に電気的に接続される操作手段による画像処理装置の設定変更および操作を許可する許可状態と、操作手段による前記設定変更および操作を禁止する禁止状態とにわたって選択可能に構成されることを特徴とする画像処理装置。
【請求項２】
操作手段によって画像処理装置の設定を変更または操作するとき、コンピュータの入力手段による画像処理装置の設定変更および操作を許可する許可状態と、入力手段による前記設定変更および操作を禁止する禁止状態とにわたって選択可能に構成されることを特徴とする請求項１に記載の画像処理装置。
【請求項３】
画像処理本体は、操作手段による操作ログ情報を、通信手段を介してコンピュータに転送する機能を有することを特徴とする請求項１または２に記載の画像処理装置。
【請求項４】
コンピュータは、転送される操作ログ情報を記憶する記憶手段を含むことを特徴とする請求項３に記載の画像処理装置。
【請求項５】
コンピュータは、記憶される操作ログ情報に基づいて、画像処理装置の設定を変更または操作すべく制御する機能を有することを特徴とする請求項４に記載の画像処理装置。
【請求項６】
コンピュータは、請求項１または２に記載の画像処理装置に表示される画面と同じ表示する機能を有し、コンピュータを操作することにより実時間で画像処理装置の設定を変更または操作可能な機能を有することを特徴とする請求項１または２に記載の画像処理装置。
【発明の詳細な説明】
【技術分野】
【０００１】
本発明は、たとえば撮像手段から得た画像データに基づいて、位置決め処理、きず、欠け検査などを行うための画像処理装置に関する。
【０００２】
本発明において、画像処理装置の「設定」とは、規定値に影響を与え得るパラメータの設定、およびその設定値の少なくともいずれか一つを含む。
【背景技術】
【０００３】
ファクトリーオートメーション（略称ＦＡ）分野において、撮像手段から得た画像データに基づいて、被対象物の位置決め処理または、きず、欠け検査などを行うことを目的とした画像処理装置が実用に供されている。この種の画像処理装置では、必要に応じて扱うべきデータの操作および設定値の変更を行わなければならない（たとえば特許文献１参照）。
【０００４】
【特許文献１】特開平５−３３４２１６号公報
【発明の開示】
【発明が解決しようとする課題】
【０００５】
従来の技術では、画像処理装置が異常を起こした場合、当該画像処理装置を正常化するため、次のような改善策を講じる必要がある。（１）画像処理装置本体の専門知識、技術のある者（以下、技術者等という）が、画像処理装置の設置場所まで移動したうえで、この画像処理装置の設定値を判断し、この設定値を変更するなどして画像処理装置自体を改善する必要がある。（２）このような改善作業を画像処理装置の異常が起こる度に行う必要がある。（３）異常が発生した画像処理装置の数に応じた複数の技術者等が改善策を講じなければならない。前記「異常」状態とは、画像処理装置が使用者の望む動作を行わない状態、または使用者自身で画像処理装置の動作を正常に復帰不可能な状態と同義である。
【０００６】
本発明の目的は、異常が発生した画像処理装置を容易に正常化することが可能な画像処理装置を提供することである。
【課題を解決するための手段】
【０００７】
本発明は、入力される被対象物の画像データに基づいて、該被対象物が所期の規定値を満足するか否かを判断するための画像処理装置であって、
画像処理装置の設定を変更または操作可能な入力手段、演算手段および出力手段を含むコンピュータが、通信手段を介して当該画像処理装置に電気的に接続され、
コンピュータの入力手段によって画像処理装置の設定を変更または操作するとき、この画像処理装置本体に電気的に接続される操作手段による画像処理装置の設定変更および操作を許可する許可状態と、操作手段による前記設定変更および操作を禁止する禁止状態とにわたって選択可能に構成されることを特徴とする画像処理装置である。
【０００８】
また本発明は、操作手段によって画像処理装置の設定を変更または操作するとき、コンピュータの入力手段による画像処理装置の設定変更および操作を許可する許可状態と、入力手段による前記設定変更および操作を禁止する禁止状態とにわたって選択可能に構成されることを特徴とする。
【０００９】
また本発明は、画像処理本体は、操作手段による操作ログ情報を、通信手段を介してコンピュータに転送する機能を有することを特徴とする。
【００１０】
また本発明は、コンピュータは、転送される操作ログ情報を記憶する記憶手段を含むことを特徴とする。
【００１１】
また本発明は、コンピュータは、記憶される操作ログ情報に基づいて、画像処理装置の設定を変更または操作すべく制御する機能を有することを特徴とする。
【００１２】
また本発明は、コンピュータは、前記画像処理装置に表示される画面と同じ表示する機能を有し、コンピュータを操作することにより実時間で画像処理装置の設定を変更または操作可能な機能を有することを特徴とする。
【発明の効果】
【００１３】
本発明によれば、本画像処理装置は、入力される被対象物の画像データに基づいて、該被対象物が所期の規定値を満足するか否かを判断する。コンピュータは、入力手段、演算手段および出力手段を含み、通信手段を介して画像処理装置に電気的に接続される。入力手段によって画像処理装置の設定を変更または操作するとき、操作手段は許可状態と禁止状態とにわたって選択可能となる。操作者によって前記許可状態が選択されると、画像処理装置本体に電気的に接続される操作手段による画像処理装置の設定変更および操作が許可される。
【００１４】
操作者によって前記禁止状態が選択されると、操作手段による画像処理装置の設定変更および操作が禁止される。この禁止状態が選択された場合には、コンピュータの入力手段以外の操作手段等が排他的に制御される。つまり画像処理装置の設定変更および操作を許可する側を特定することが可能となる。技術者等が、このコンピュータを使用して、異常を起こした画像処理装置の設置場所まで移動することなくこの画像処理装置の設定を変更または操作することが可能となる。このように異常が発生した画像処理装置を容易に正常化することが可能となる。
【００１５】
また本発明によれば、操作手段によって画像処理装置の設定を変更または操作するとき、入力手段による画像処理装置の設定変更および操作が禁止される。この禁止状態が選択された場合には、画像処理装置本体に電気的に接続される操作手段以外の入力手段等が排他的に制御される。このように画像処理装置の設定変更および操作を許可する側を特定することが可能となる。
【００１６】
また本発明によれば、画像処理本体は、操作手段による操作ログ情報を通信手段を介してコンピュータに転送することができる。コンピュータは、転送される操作ログ情報により、操作手段の動作を解析することが可能となる。それ故、技術者等がこのコンピュータを使用して異常を起こした画像処理装置の改善を図ることができる。
【００１７】
また本発明によれば、コンピュータは記憶手段を含み、画像処理本体から通信手段を介して転送される操作ログ情報をこの記憶手段に記憶することができる。記憶された操作ログ情報に基づいて、画像処理装置の異常原因を解析することが可能となる。
【００１８】
また本発明によれば、コンピュータは、記憶される操作ログ情報に基づいて、画像処理装置の設定を変更または操作すべく制御することができる。つまり画像処理装置を正常に復帰することが可能となる。
【００１９】
また本発明によれば、コンピュータを操作することにより実時間で画像処理装置の設定を変更または操作し得るので、技術者等がこのコンピュータを操作して異常を起こした画像処理装置を迅速に改善することができる。このように技術者等が画像処理装置の設置場所まで移動する時間を短縮することが可能となり、また画像処理装置本体接続のリモートキーによる入力が困難な場所に画像処理装置が設置されている場合に、遠隔からの操作が可能となる。
【発明を実施するための最良の形態】
【００２０】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２１】
図１は、本発明の第１の実施形態に係る画像処理装置１およびＰＣ２の接続状態を概略示す図である。図２は、本発明の第１の実施形態に係る画像処理装置１等のブロック図である。図３は、本発明の第１の実施形態に係るＰＣ２等のブロック図である。画像処理装置１には、コンピュータとしてのＰＣ２（ＰＣ：Personal Computer）が電気的に接続されている。画像処理装置１は、主に、画像処理装置本体および画像表示手段３を有する。画像処理装置本体には、操作手段としてのリモートキー４、画像撮像手段としてのカメラ５などがそれぞれ電気的に接続されている。
【００２２】
図２に示すように、画像処理装置本体は、中央演算処理装置６（略称ＣＰＵ；Central Processing Unit）、画像入力処理部７、入力処理部８、表示制御部９、送信／受信処理部１０、送信／受信部１１および通信部１２を有する。画像入力処理部７に前記カメラ５が接続されている。このカメラ５で撮像された画像データは、画像入力処理部７に入力されて画像処理に供される。この画像処理の制御主体はＣＰＵ６である。入力処理部８には、リモートキー４が接続されている。リモートキー４によって入力される情報は、入力処理部８を介してＣＰＵ６に送られる。このＣＰＵ６に表示制御部９を介して画像表示手段３（モニタ３という場合がある）が接続されている。ＣＰＵ６には、送信／受信処理部１０を介して送信／受信部１１が接続されている。送信／受信部１１には、通信部１２および通信手段を介してＰＣ２が接続されている。前記通信手段は、本画像処理装置１とＰＣ２とを接続するためのネットワーク網ＮＷを含む。
【００２３】
図３に示すように、ＰＣ２は、演算手段としての中央演算処理装置１３（略称ＣＰＵ；Central Processing Unit）、キーボード等の入力手段１４、入力処理部１５、記憶手段としての記憶部１６、表示制御部１７、出力手段としての表示部１８、送信／受信処理部１９、送信／受信部２０および通信機能部２１を有する。ＣＰＵ１３に入力処理部１５を介して入力手段１４が接続されている。入力手段１４に入力される情報は入力処理部１５を介してＣＰＵ１３に送られる。ＣＰＵ１３には記憶部１６が接続され、画像処理装置１から送られる情報を通信手段等を経由してこの記憶部１６に記憶する。このＣＰＵ１３には表示制御部１７を介して表示部１８が接続されている。ＣＰＵ１３には、送信／受信処理部１９を介して送信／受信部２０が接続されている。送信／受信部２０には、通信機能部２１および通信手段を介して画像処理装置１が接続されている。
【００２４】
入力手段１４によって画像処理装置１の設定を変更または操作するとき、リモートキー４は、リモートキー許可状態とリモートキー禁止状態とにわたって選択可能に構成される。前記「リモートキー許可状態」とは、リモートキー４による画像処理装置１の設定変更および操作を許可する状態と同義である。前記「リモートキー禁止状態」とは、リモートキー４による画像処理装置１の設定変更および操作を禁止する状態と同義である。
【００２５】
リモートキー４によって画像処理装置１の設定を変更または操作するとき、コンピュータ２の入力手段１４は、入力許可状態と入力禁止状態とにわたって選択可能に構成される。前記「入力許可状態」とは、入力手段１４による画像処理装置１の設定変更または操作を許可する許可状態と同義である。前記「入力禁止状態」とは、入力手段１４による画像処理装置１の設定変更または操作を禁止する禁止状態と同義である。
【００２６】
以上説明した画像処理装置１によれば、入力手段１４によって画像処理装置１の設定を変更または操作するとき、リモートキー許可状態と、リモートキー禁止状態とにわたって選択可能となる。操作者によって前記リモートキー禁止状態が選択されると、リモートキー４による画像処理装置１の設定変更および操作が禁止される。このリモートキー禁止状態が選択された場合には、ＰＣ２の入力手段１４以外の操作手段が排他的に制御される。つまり画像処理装置１の設定変更および操作を許可する側を特定することが可能となる。
【００２７】
また本画像処理装置１によれば、リモートキー４によって画像処理装置１の設定を変更または操作するとき、入力手段１４による画像処理装置１の設定変更および操作が禁止される。この入力禁止状態が選択された場合には、画像処理装置本体に電気的に接続されるリモートキー４以外の入力手段等が排他的に制御される。このように画像処理装置１の設定変更および操作を許可する側を特定することが可能となる。画像処理装置本体は、リモートキー４による操作ログ情報を通信手段を介してＰＣ２に転送する機能を有するので、ＰＣ２は、転送される操作ログ情報により、リモートキー４の動作を解析することが可能となる。それ故、技術者等がこのＰＣ２を使用して異常を起こした画像処理装置１の改善を図ることができる。
【００２８】
ＰＣ２は記憶部１６を含み、画像処理装置本体から通信手段を介して転送される操作ログ情報をこの記憶部１６に記憶することができる。記憶された操作ログ情報に基づいて、画像処理装置１の異常原因を解析することが可能となる。ＰＣ２は、記憶される操作ログ情報に基づいて、画像処理装置１の設定を変更または操作すべく制御することができる。つまり画像処理装置１を正常に復帰することが可能となる。
【００２９】
図４は、画像処理装置接続のリモートキー４を操作手段として、画像処理装置１を操作する際の画像処理装置１側の処理を段階的に示すフローチャートである。図１〜図３も参照しつつ説明する。本フローチャートにおける制御主体は、特に記載しない限りＣＰＵ６である。たとえば画像処理装置１の図示外の電源をオンとする条件で本処理が開始する。ただしこの開始条件だけに限定されるものではない。本処理開始後、ステップＳ５１において、画像処理装置本体に接続されているリモートキー４の入力が許可されているか否かを判断する。許可されていないと判断されると本処理を終了する。
【００３０】
リモートキー４の入力が許可されていると判断されるとステップＳ５２に移行し、ＰＣ２からのリモートキー操作情報などの受信待ち状態であるか否かを判断する。受信待ち状態であると判断されると本処理を終了する。受信待ち状態ではないと判断されると、ステップＳ５３において、対象となる画像処理装置１の設定値を変更処理する。その後ステップＳ５４に移行し、対象となる画像処理装置の設定値の変更処理を継続するか否かを判断する。継続しないと判断されると、画像処理装置を入力手段とした対象画像処理装置の設定の変更処理を終了する。設定値の変更処理を継続すると判断されると、ステップＳ５１に戻る。
【００３１】
図５は、ＰＣ２を入力手段として画像処理装置１を操作する際のＰＣ２側の処理を段階的に示すフローチャートである。本フローチャートにおける制御主体は、特に記載しない限りＣＰＵ１３である。たとえばＰＣ２の図示外の電源をオンとする条件で本処理が開始する。ただしこの開始条件だけに限定されるものではない。本処理開始後、ステップＳ６１において、対象となる画像処理装置１に対してＰＣ２からの入力が許可されているか否かを判断する。図３に示すように、送信／受信処理部１９、送信／受信部２０および通信機能部２１を経由して、前記ＰＣ２からの入力が許可されていないと判断されると本処理を終了する。送信／受信処理部１９、送信／受信部２０および通信機能部２１を経由して、前記ＰＣ２からの入力が許可されていると判断されると、ステップＳ６２に移行する。
【００３２】
ステップＳ６２では、対象となる画像処理装置１がＰＣ２からの入力情報を受信可能な状態となっているか否かを、送信／受信処理部１９、送信／受信部２０および通信機能部２１を経由して判断する。許可されていない場合は本設定変更処理を終了する。許可されていると判断されると、ステップＳ６３に移行する。ステップＳ６３では、ＰＣ２側から対象となる画像処理装置１に対する設定値などを、送信／受信処理部１９、送信／受信部２０および通信機能部２１を経由して送信し対象画像処理装置１に反映させる。次にステップＳ６４に移行し、入力手段１４により入力され、入力処理部１５により処理された設定値を元に、ＰＣ２内の記憶部１６に記憶している画像処理装置１の設定値の変更を行う。その後ステップＳ６５に移行し、対象となる画像処理装置１の設定値の変更処理を継続するか否かを判断する。継続しないと判断されると、ＰＣ２を入力手段とした対象画像処理装置１の設定の変更処理を終了する。設定値の変更処理を継続すると判断されると、ステップＳ６３に戻る。
【００３３】
図６は、画像処理装置接続のリモートキー操作情報などの送信時の画像処理装置１側の処理を段階的に示すフローチャートである。本フローチャートにおける制御主体は、特に記載しない限りＣＰＵ６である。たとえば画像処理装置１の図示外の電源をオンとする条件で本処理が開始する。本処理開始後、ステップＳ７１において、対象となる画像処理装置１のリモートキー操作情報などをＰＣ２側が受信可能な状態であるか否かを判断する。受信可能な状態ではないと判断されると、本処理を終了する。受信可能な状態であると判断されると、ステップＳ７２に移行する。ステップＳ７２では、対象となる画像処理装置１がリモートキー操作情報などを送信可能な状態であるか否かを判断する。送信可能な状態ではないと判断されると、本処理を終了する。送信可能な状態であると判断されると、ステップＳ７３に移行する。このステップＳ７３では、対象となる画像処理装置本体に接続されているリモートキー４による操作を実行する。
【００３４】
次にステップＳ７４に移行し、ステップＳ７３で実行される操作内容が、リモートキー操作情報の送信を終了する命令か否かを判断する。終了命令であると判断されると、画像処理装置１によるリモートキー操作ログ情報などをＰＣ２へ送信する処理を終了する。終了命令ではないと判断されると、ステップＳ７５に移行する。このステップＳ７５では、リモートキー４により入力した操作情報などを画像処理装置１からＰＣ２に、送信／受信処理部１０、送信／受信部１１および通信部１２を経由して転送する。その後ステップＳ７２に戻る。
【００３５】
画像処理装置本体に接続されているリモートキー４の入力情報を、画像処理装置１からＰＣ２へ送信する際には、逆にＰＣ２は、画像処理装置１からリモートキー４の入力情報を受信する。その際の実施例について詳細に説明する。図７は、画像処理装置接続のリモートキー操作情報などの受信時のＰＣ２側の処理を段階的に示すフローチャートである。本フローチャートにおける制御主体は、特に記載しない限りＣＰＵ１３である。たとえばＰＣ２の図示外の電源をオンとする条件で本処理が開始する。本処理開始後、ステップＳ８１において、ＰＣ２側が、対象となる画像処理装置１からのリモートキー操作情報などを受信可能状態であるか否かを判断する。受信不可能であると判断されると本処理を終了する。
【００３６】
ステップＳ８１で受信可能であると判断されると、ステップＳ８２に移行する。このステップＳ８２では、対象となる画像処理装置１からのリモートキー情報などの受信処理を、通信機能部２１、送信／受信部２０および送信／受信処理部１９を経由し、記憶部１６に記録する。その後、ステップＳ８３に移行し、ステップＳ８２で受信した情報データが受信処理の終了命令であるか否かを判断する。ここで受信データが終了命令であると判断されると、受信処理を終了する。終了命令ではないと判断されると、ステップＳ８２に戻る。
【００３７】
画像処理装置１がＰＣ２の記憶部１６に記録されているリモートキー操作ログ情報などを、ＰＣ２から受信する際の実施例を詳細に説明する。図８は、対象となる画像処理装置１が記憶部１６に記憶されたリモートキー操作ログ情報を受信する際の画像処理装置１側の処理を段階的に示すフローチャートである。本フローチャートにおける制御主体は、特に記載しない限りＣＰＵ６である。たとえば画像処理装置１の図示外の電源をオンとする条件で本処理が開始する。本処理開始後、ステップＳ９１において、受信を行おうとしている画像処理装置１がＰＣ２からリモートキー操作ログ情報などを受信可能な状態であるか否か、画像処理装置１自身の設定値を確認して判断する。ここで受信可能状態ではないと判断されると、本処理を終了する。
【００３８】
受信可能状態であると判断されると、ステップＳ９２に移行する。ステップＳ９２では、ＰＣ２から送信されたリモートキー操作ログ情報などを、画像処理装置１の受信機能を使用して受信する。次にステップＳ９３では、ステップＳ９２で受信したデータの内容が受信処理の終了命令であるか否かを判断する。処理終了命令であると判断されると、本処理を終了する。処理終了命令ではないと判断されると、ステップＳ９４に移行する。このステップＳ９４では、受信したリモートキー操作ログ情報に基づいて、画像処理装置１のＣＰＵ６、表示制御部９、画像表示手段３を動作させる。その後ステップＳ９２に戻る。
【００３９】
図９は、対象となるＰＣ２が記憶部１６に記憶されたリモートキー操作ログ情報を送信する際のＰＣ２側の処理を段階的に示すフローチャートである。本フローチャートにおける制御主体は、特に記載しない限りＣＰＵ１３である。たとえばＰＣ２の図示外の電源をオンとする条件で本処理が開始する。本処理開始後ステップＳ１０１では、データの送信対象となる画像処理装置１がＰＣ２側からの送信情報を受信可能な状態であるか否かを判断する。受信可能状態ではないと判断されると、本処理を終了する。受信可能状態であると判断されると、ステップＳ１０２に移行する。
【００４０】
ステップＳ１０２では、ＰＣ２側が対象となる画像処理装置１に対してリモートキー操作ログ情報を送信可能な状態であるか否かを判断する。送信可能状態ではないと判断されると、本処理を終了する。送信可能状態であると判断されると、ステップＳ１０３に移行する。このステップＳ１０３では、ＰＣ２の記憶部１６に記録されているリモートキー操作ログ情報などを、対象となる画像処理装置１へ送信する。次にステップＳ１０４では、ＰＣ２からのリモートキー操作ログ情報などの送信を終了するか否かを判断する。終了しないと判断されると、ステップＳ１０３に戻る。終了すると判断されると、ステップＳ１０５に移行し、対象となる画像処理装置１に対してリモートキー操作ログ情報などの送信を終了する命令を送信する。その後本処理を終了する。
【００４１】
図１０は、本発明の他の実施形態に係る画像処理装置１Ａ〜１Ｄを、ＷＡＮで遠隔地にある制御装置２Ａに接続した状態を示す図である。複数の画像処理装置１Ａ〜１Ｄを、ワイドエリアネットワーク（略称ＷＡＮ：Wide Area Netwrok）を介して遠隔地にある制御装置２Ａに接続することも可能である。ＷＡＮは、ローカルエリアネットワーク（略称ＬＡＮ：Local Area Network）より広い範囲をカバーする広域ネットワークである。複数の画像処理装置１Ａ〜１Ｄが遠隔地に離隔した状態に配置される場合であっても、技術者等が、コンピュータとしての前記制御装置２Ａを使用して異常を起こした画像処理装置１Ａ〜１Ｄを一元的に改善することが可能となる。このように人的資源の有効活用を図ることができる。その他、本発明の趣旨を逸脱しない範囲において種々の変更を付加した形態で実施することも可能である。
【図面の簡単な説明】
【００４２】
【図１】本発明の第１の実施形態に係る画像処理装置１およびＰＣ２の接続状態を概略示す図である。
【図２】本発明の第１の実施形態に係る画像処理装置１等のブロック図である。
【図３】本発明の第１の実施形態に係るＰＣ２等のブロック図である。
【図４】画像処理装置接続のリモートキー４を操作手段として、画像処理装置１を操作する際の画像処理装置１側の処理を段階的に示すフローチャートである。
【図５】ＰＣ２を入力手段として画像処理装置１を操作する際のＰＣ２側の処理を段階的に示すフローチャートである。
【図６】画像処理装置接続のリモートキー操作情報などの送信時の画像処理装置１側の処理を段階的に示すフローチャートである。
【図７】画像処理装置接続のリモートキー操作情報などの受信時のＰＣ２側の処理を段階的に示すフローチャートである。
【図８】対象となる画像処理装置１が記憶部１６に記憶されたリモートキー操作ログ情報を受信する際の画像処理装置１側の処理を段階的に示すフローチャートである。
【図９】対象となるＰＣ２が記憶部１６に記憶されたリモートキー操作ログ情報を送信する際のＰＣ２側の処理を段階的に示すフローチャートである。
【図１０】本発明の他の実施形態に係る画像処理装置１Ａ〜１Ｄを、ＷＡＮで遠隔地にある制御装置２Ａに接続した状態を示す図である。
【符号の説明】
【００４３】
１  画像処理装置
２  ＰＣ
４  リモートキー
６  ＣＰＵ
１０  送信／受信処理部
１１  送信／受信部
１２  通信部
１３  ＣＰＵ
１６  記憶部
１９  送信／受信処理部
２０  送信／受信部
２１  通信機能部
【図１】
2006237706.tif 000003
【図２】
2006237706.tif 000004
【図３】
2006237706.tif 000005
【図４】
2006237706.tif 000006
【図５】
2006237706.tif 000007
【図６】
2006237706.tif 000008
【図７】
2006237706.tif 000009
【図８】
2006237706.tif 000010
【図９】
2006237706.tif 000011
【図１０】
2006237706.tif 000012